【事件の表示】
　平成　４年特許願第１７７７１０号「六角穴付き止めネジ自動供給装置」拒絶査定に対する審判事件〔平成　５年１２月２７日出願公開、特開平　５−３４５２５１、請求項の数（２）〕について、次のとおり審決する。
【結　論】
　原査定を取り消す。
　本願の発明は、特許すべきものとする。
【理　由】
１．手続の経緯・本願発明
　本願は、平成４年６月１２日の出願であって、その請求項１及び２に係る発明（以下「本願発明１及び２」という。）は、平成１３年１０月２９日付け手続補正書及び平成１５年１月１０日付け手続補正書により補正された明細書並びに図面の記載からみて、その特許請求の範囲の請求項１及び２に記載された次のとおりである。
「【請求項１】　多数の六角穴付き止めネジを収納して上下方向が不整列な状態で供給するホッパーから供給される六角穴付き止めネジを、送り出すための手段に上下方向を整列させて供給する自動供給装置であって、前記ホッパーに近接して配置され、供給された六角穴付き止めネジを受け入れるためにネジ長さに対応する深さの受渡用穴と該受渡用穴の中に六角穴付き止めネジの六角穴に挿入可能な上下動する摺動ピンとを回転する回転体に複数放射状に設けた、六角穴付き止めネジを受け入れて移送するための手段と、前記摺動ピンに挿入されない六角穴と反対側の頂部で供給された六角穴付き止めネジを前記摺動ピンの上昇により排除するための手段と、前記六角穴付き止めネジを受け入れて移送するための手段と共働して摺動ピンに挿入された六角穴付き止めネジを保持すると共に前記送り出すための手段に放出するための手段とを備えたことを特徴とする、六角穴付き止めネジ自動供給装置。
　【請求項２】　前記排除するための手段は前記摺動ピンの摺動による上下動で摺動ピンに嵌合されない六角穴と反対側の頂部で供給されて収納された六角穴付き止めネジを前記摺動ピンの上昇により受渡用穴から排除し、前記放出するための手段は前記回転体の外周に沿って配置されて前記受渡用穴に収納された六角穴付き止めネジを保持すると共に前記送り出すための手段に放出する開放部を備えたガイドであることを特徴とする請求項１に記載の六角穴付き止めネジ自動供給装置。」
　
２．引用例１
　これに対して、原査定の拒絶の理由に引用した、本願の出願前に国内で頒布された刊行物である特開昭５９−８２２１５号公報（以下「引用例１」という。）には、以下の事項が記載されていると認められる。
記載事項；
「次に、作用を第６図乃至第８図により述べる。ホッパー７に多数の袋ナット等Ｎを投入しておき、モータ２を駆動してロータ４を矢印Ａの方向へ回転すると、ホッパー７の底板７ｂの通過口７ｂ１から上昇回転として出て来た採取具５の採取部５ｅは、その壁面５ｅ１により通過口７ｂ１上にあった袋ナット等Ｎの中の一個をすくい上げる。採取具５の回転上昇に伴なって採取された袋ナット等Ｎが正しい姿勢、すなわち、袋ナット等Ｎの全体が採取部５ｅ内に収まり、かつ、ねじ部の穴Ｎａが選別ピン５ｇに向いている場合は、第７図Iに示されるように袋ナット等Ｎは該ピン５ｇに緩挿して収納部５ｆに収納されるが、同図IIのように袋ナット等Ｎが頭部Ｎａを、また、同図IIIのように側面Ｎｃを選別ピン５ｇに向けている場合には、該ピン５ｇに当接して不安定な姿勢となっているので、回転上昇の途中、又は、ホッパー７の前壁７ａ内に突出した前部ガイドプレート８の突出斜面８ａに当接して排除される。
　そして収納部５ｆに収納された袋ナット等Ｎは、ホッパー７の前壁７ａからの下降工程において前部ガイドプレート８の内端面８ｂに頭部Ｎａを制せられた状態で運ばれるが、パーツガイドレール９の内端９ａに近付くと前記ガイドプレート８の制御が解けるので自重により選別ピン５ｇから頭部Ｎａを下にして脱出落下する。」（第２頁左下欄第９行〜同頁右欄第１４行）
　以上の記載事項及び第６〜８図の記載によれば、引用例１には次の発明（以下「引用例１記載の発明」という。）が記載されていると認められる。
「多数の袋ナット等Ｎを収納して上下方向が不整列な状態で供給するホッパー７から供給される袋ナット等Ｎを、パーツガイドレール９に上下方向を整列させて供給する袋ナット等の整列装置であって、前記ホッパー７に近接して配置され、供給された袋ナット等Ｎを受け入れるための収納部５ｆと該収納部５ｆの中に袋ナット等Ｎの穴に挿入可能な選別ピン５ｇとを回転するロータ４に複数放射状に設けた、袋ナット等Ｎを受け入れて移送するための手段と、前記選別ピン５ｇに挿入されない穴と反対側の頭部Ｎａで供給された袋ナット等Ｎを前記選別ピン５ｇにより排除するための手段と、前記袋ナット等Ｎを受け入れて移送するための手段と共働して選別ピン５ｇに挿入された袋ナット等Ｎを保持すると共に前記パーツガイドレール９に放出するためのガイドプレート８とを備えた、袋ナット等Ｎの整列装置。」
　
３．引用例２
　また、同じく原査定の拒絶の理由に引用した、本願の出願前に国内で頒布された刊行物である特開昭５０−１０１１９４号公報（以下「引用例２」という。）には、以下の技術的事項が記載されていると認められる。
記載事項（１）；
「コンベヤ２２の上部作動用伸張側は、ホッパー２４の下部のカプセル装填部、更に上方のカプセル方向修正部２６を介して下部スプロケット２０から上部スプロケット１８へと上方へ４５°の傾斜でのびる。・・・該上部スプロケット１８は、カプセルを該コンベヤ２２から検査及加工ヘッド２８へ転送する転送ホイール２５の一部を形成し、該検査ヘッド２８は該転送ホイールの排出点に対して取りつけられている。」（第３頁左下欄第２０行〜同頁右下欄第９行）
記載事項（２）；
「上記転送ホイール２５に設けた前記ピックアップフィンガー即ちプランジャ１４４の作動を第１１図に示す。前記吸入室１６０は通常前記開口１５６を介して該プランジャ１４４の空気通路１５４と連通しているため、前記シート部１５２において内方への気流を生じ、カプセルを該シート１５２に吸着し、該プランジャ１４４の移動中カプセルを該シート１５２上に保持する。第１１図に示す如く、コンベヤ機構の前記第２カムレール１０６の前端は、該プランジャ１４４の外端で該シート部１５２の通過路と接線をなす点まで実質的にのびている。該接線点において、該プランジャ１４４は引っ込められ、前記コンベヤバケット３４は、バケット空洞４６が該プランジャと１直線に並んだ状態で該プランジャをまたぐ位置へ移動する。上述の関係位置において、前記プランジャ１４４のカムフオロワー１４８は前記カム隆起部１７１により持ち上げられ、該プランジャ１４４は該シート部１５２を、第１１図中のカプセル５ｉにより示される如く、前記コンベヤバケット３４により運ばれるカプセル５と係合する様に前進せしめる。カプセル５は未だカプセル空洞４６内にあるが、前記プランジャ１４４のシート部１５２上に位置し該シート部１５２に真空により保持されている。前記転送ホイール２５が第１１図のカプセル位置５ｊより５ｋを介してカプセルを運ぶため回転する場合、該プランジャ１４４はカプセルを保持した引っ込み位置にある。該プランジャ１４４が、前記検査ヘッドローラー１７０に対抗する供給位置に接近するにつれて、前記カム溝１５０はカム隆起１７２を形成しているので、漸次各プランジャ１４４を持ち上げ、例えば、カプセル５ｍが前記１対のローラー１７０間の溝中にはまる供給位置へ前進させる。プランジヤ１４４が上記供給位置に達した時、該プランジャ１４４の前記開口１５８は、第１１図中の左方に示す如く、前記リング１１８，１２０の壁面外にはみ出し、該側部開口１５８は大気と連通し前記シート部１５２における吸入力を中断し、カプセル５ｍを解放して前記検査ホイール２８内の吸入力によりカプセルを該検査ホイールへ転送する。」（第９頁左上欄第２０行〜同頁左下欄第２０行）
　
４．引用例３
　また、同じく原査定の拒絶の理由に引用した、本願の出願前に国内で頒布された刊行物である特開昭５７−４２４１２号公報（以下「引用例３」という。）には、以下の技術的事項が記載されていると認められる。
記載事項；
「つまり移送ガイド１０上を運ばれてきたねじ１は一旦この幅Ｗのガイド面に載った１ａの状態に置かれ、ここで側方から突出する触針１６の突出長が端面の六角穴２の中に吸収されればそのままであるし、もし突出側端面に六角穴がなくてねじが反対方向に向いていた場合には、触針１６の突出長分だけねじ１が押し出されて図示１ｂの状態になることによりガイド面上での重量バランスがくずれて切欠き１３から突き落とされることになる。
　第２図および第３図は、以上のような触針１６による選別動作を模式的に示す図であって、六角穴２が触針１６の方向を向いて送られてきたときには、第２図（ａ）のように選別穴構成用切欠き１３の対応位置で、当該六角穴２と触針１６とが正対し、同図（ｂ）のように触針１６が突出されても、その突出長分は六角穴２の深さｄで吸収されてねじ１ａには実質的な力は及ばない。他方、第３図（ａ）に示すごとく、六角穴２が触針１６と反対側を向く形で送られてきたねじ１ｂについては、切欠き１３の対応位置で穴のない端面に触針１６が対向した関係となり、この状態で触針１６が突き出されると、第３図（ｂ）のようにねじ１ｂ自体が左方に押し出されて幅Ｗのガイド面１０上での重量バランスがくずれ、切欠き１３から矢印で示すように転落する。従って、移送ガイド１０上に供給されるねじの内、六角穴２が触針側にないねじ１ｂは非整列ねじとして切欠き１３による選別穴から排除され、反対に六角穴２が触針側を向いたねじ１ａのみが選別されて整列シュート１２に送られることになる。」（第２頁右上欄第６行〜同頁左下欄第１４行）
　
５．対比
　本願発明１と引用例１記載の発明とを対比すると、引用例１記載の発明の「ホッパー７」は本願発明１の「ホッパー」に相当し、同様に、「パーツガイドレール９」は「送り出すための手段」に、「整列装置」は「自動供給装置」に、「ロータ４」は「回転体」に、「頭部Ｎａ」は「頂部」に、「ガイドプレート８」は「放出するための手段」に、それぞれ相当し、後者の「袋ナット等Ｎ」と前者の「六角穴付き止めネジ」とは穴とその反対側に頂部とを有する「穴付きネジ」である限りで一致し、後者の「収納部５ｆ」と前者の「受渡用穴」とはネジを受け入れるための「受入穴」である限りにおいて一致し、後者の「選別ピン５ｇ」と前者の「摺動ピン」とは「ピン」である限りにおいて一致するので、本願発明１と引用例１記載の発明とは、
「穴付きネジを収納して上下方向が不整列な状態で供給するホッパーから供給される穴付きネジを、送り出すための手段に上下方向を整列させて供給する自動供給装置であって、前記ホッパーに近接して配置され、供給された穴付きネジを受け入れるための受入穴と該受入穴の中に穴付きネジの穴に挿入可能なピンとを回転する回転体に複数放射状に設けた、穴付きネジを受け入れて移送するための手段と、前記ピンに挿入されない穴と反対側の頂部で供給された穴付きネジを前記ピンにより排除するための手段と、前記穴付きネジを受け入れて移送するための手段と共働してピンに挿入された穴付きネジを保持すると共に前記送り出すための手段に放出するための手段とを備えた、穴付きネジ自動供給装置。」
である点で一致し、以下の点で相違する。
相違点（１）；
　「穴付きネジ」が、本願発明においては「六角穴付き止めネジ」であるのに対して、引用例１記載の発明は「袋ナット等Ｎ」である点。
相違点（２）
　「受入穴」が、本願発明においては、「供給された穴付きネジを受け入れるためにネジ長さに対応する深さ」を有した「受渡用穴」であるのに対し、引用例１記載の発明においては、ネジ長さとの対応が不明である点。
相違点（３）
　本願発明の「ピン」は「摺動ピン」で構成されており、「ネジ長さに対応する深さの受渡用穴」に供給された六角穴付き止めネジについて、「前記摺動ピンに挿入されない六角穴と反対側の頂部で供給された六角穴付き止めネジを前記摺動ピンの上昇により排除するための手段」を具備しているのに対し、引用例１記載の発明の「ピン」は、そのようなものでない点。
　
６．当審の判断
　上記相違点（１）〜（３）について検討する。
　引用例２には、プランジャ１４４の摺動動作により、コンベヤバケットの空洞４６内に予め特定の方向に向けられて収納されたカプセルをプランジャ１４４の先端に吸着して排出することが記載されているが、当該プランジャ１４４の摺動動作による排出は、次工程である検査ホイールへの受け渡しを目的としており、相違点（１）〜（３）に係る構成を何ら示唆するものではない。
　また、引用例３には、触針１６の摺動動作により、移送ガイド１０上を運ばれてきたねじ１の六角穴２と触針１６とが正対しない場合に、ねじ１が押し出され転落することにより、ねじ１の向きを整列して供給するものであるが、「ネジ長さに対応する深さの受渡用穴」に供給された六角穴付き止めネジを押し出すものではなく、全体として相違点（２）、（３）に係る構成を示唆するものではない。
　そして、本願発明の上記相違点（１）〜（３）に係る構成により、平成１５年２月１９日付けの手続補正書で補正された審判請求書の請求の理由の項において請求人が主張している、ネジ高さに比して穴の深さが浅い六角穴付き止めネジを対象とし、そのような穴の深さが浅い六角穴付き止めネジを高い確率でピンに収納することが可能であり、六角穴と反対側の頂部で供給された六角穴付き止めネジを摺動ピンの上昇により排除するという作用効果（前記請求の理由の項（４）サ）〜シ）参照）も、引用例２又は３記載の技術的事項より予測し得るものでもない。
　
７．むすび
　以上のとおりであるので、本願発明１は、本願出願前に日本国内において頒布された引用例１記載の発明及び引用例２、３記載の技術的事項に基づいて、当業者が容易に発明をすることができたものではない。
　また、本願発明２は、本願発明１の構成を全て具備しているものであるから、本願発明１と同様に、前記引用例１記載の発明及び引用例２、３記載の技術的事項に基づいて、当業者が容易に発明をすることができたものではない。
　したがって、本出願については、原査定の拒絶の理由及び前置報告書に記
載の理由によって拒絶すべきものとすることはできない。
　そして、他に本出願を拒絶すべき理由を発見しない。
　よって、結論のとおり審決する。